(57)【要約】      （修正有）【課題】除塵効率を向上させ、しかも除塵手段自身による通風抵抗増加を低減した電気掃除機を提供する。【解決手段】第一の除塵手段１１２と第二の除塵手段１２０と２つの除塵手段を設けているが、第二の除塵手段１２０は空気が流れる通風路外に設けられているので、空気の流れを阻害することがなく、吸引力を低下させることがない。また、２つの除塵手段を設け、これらが異なる動作で除塵しているので、フィルタ１３１ａの除塵性能が向上し、吸引力の低下を防止できる。特に本実施例では、第一の除塵手段１１２でフィルタ１３１ａを弾き、第二の除塵手段１２０でフィルタ１３１ａを叩くといった異なる除塵手段を設けているので、効率よく除塵を行うことができる。【選択図】図３
2008000385.tif 000002
【特許請求の範囲】
【請求項１】
電動送風機及び集塵部を備えた掃除機本体と、前記集塵部に配置されたフィルタとを有する電気掃除機において、
前記フィルタを除塵する複数の除塵手段を備え、該複数の除塵手段のうち少なくとも一つは通風路外に設けたことを特徴とする電気掃除機。
【請求項２】
電動送風機及び集塵部を備えた掃除機本体と、前記集塵部を覆う開閉自在な集塵蓋と、前記集塵部に着脱自在に配置された集塵ケースと、該集塵ケースの開口部を開閉するフィルタとを有する電気掃除機において、
前記フィルタを除塵する第一の除塵手段と第二の除塵手段とを備え、前記第二の手段は通風路外に設けるとともに、前記フィルタを叩いて除塵することを特徴とする電気掃除機。
【請求項３】
請求項２において、
第二の除塵手段は、前記集塵蓋に設けたことを特徴とする電気掃除機。
【請求項４】
請求項２又は３において、
第一の除塵手段は、前記フィルタを弾いて除塵することを特徴とする電気掃除機。
【発明の詳細な説明】
【技術分野】
【０００１】
本発明は、電気掃除機に関するものである。  
【背景技術】
【０００２】
従来の電気掃除機では、例えば特許文献１（特開２００６−６１５３７号公報）に記載されているように、コードリールの回転力を除塵板に伝達し、この除塵板でダストボックスに配置したフィルタを叩き、フィルタに付着した塵埃を除去するようにしていた。
【０００３】
【特許文献１】特開２００６−６１５３７号公報
【発明の開示】
【発明が解決しようとする課題】
【０００４】
しかしながら、特許文献１においては、除塵板はフィルタを叩くといった一つの動作で行われているため、効率的に除塵をすることができないといった欠点があった。また、除塵効率向上させるために、除塵板を大きくしたりすることも考えられるが、除塵板は通風路であるフィルタと電動送風機との間に配置されているので、除塵板を大きくすると除塵板が通風抵抗となり、吸引力が低下するといった欠点があった。
【０００５】
本発明の目的は、上記課題を解決し、除塵効率を向上させ、しかも除塵手段自身による通風抵抗増加を低減した電気掃除機を提供することにある。
【課題を解決するための手段】
【０００６】
上記目的を達成するために本発明の特徴とするところは、電動送風機及び集塵部を備えた掃除機本体と、前記集塵部に配置されたフィルタとを有する電気掃除機において、前記フィルタを除塵する複数の除塵手段を備え、該複数の除塵手段のうち少なくとも一つは通風路外に設けたことにある。
【発明の効果】
【０００７】
本発明によれば、フィルタを除塵する複数の除塵手段を備え、該複数の除塵手段のうち少なくとも一つは通風路外に設けるようにしたので、除塵手段自身で空気の流れを阻害することがなく、吸引力を低下させることがない。
【発明を実施するための最良の形態】
【０００８】
以下、本発明の一実施例を添付の図面に基づいて説明する。
【実施例１】
【０００９】
図４は本発明の一実施例に係る電気掃除機の全体外観図である。
【００１０】
図４において、２０１は吸引力を発生させる電動送風機、及びこの電動送風機が発生する吸引力で吸込んだ塵埃を集塵する集塵部とを備えた掃除機本体である。２０２は一端側が掃除機本体２０１の集塵部に連通するように掃除機本体２０１に接続されたホース、
２０３は一端側がホースの他端側と接続された手元操作部である。この手元操作部には電動送風機の運転に入り切りを行うスイッチ２０３ａが設けられている。２０４は一端側が手元操作部２０３の他端側と接続された伸縮可能な延長管、２０５は延長管の他端側と接続され、掃除面の塵埃を吸込む吸口体である。手元操作部２０３のスイッチ２０３ａを操作して電動送風機を運転させると、吸引力が発生し、吸口体２０５から吸込まれた塵埃が、延長管２０４，手元操作部２０３，ホース２０２を介して掃除機本体２０１の集塵部に集塵される。
【００１１】
次に図５〜図７を用いて掃除機本体の構成を説明する。
【００１２】
図５〜図７は本発明の一実施例に係る掃除機本体２０１の外観斜視図であり、図５は集塵ケース１０６を集塵部１０４に収納して集塵蓋１０５を開いた状態を示す外観斜視図、図６は上ケース１０２及び集塵蓋１０５を下ケース１０１から外した状態で掃除機本体
２０１を進行方向左前側から見た外観斜視図である。図７は図６の掃除機本体２０１を進行方向右後側から見た外観斜視図である。
【００１３】
１０１は掃除機本体２０１の下部分を構成する下ケース、１０２は下ケース１０１の上方に設けられた上ケースである。下ケース１０１及び上ケース１０２で構成される後方の空間内には、吸引力を発生させるための電動送風機１０３が収容されている。掃除機本体２０１の前方には、集塵部１０４が形成されている。この集塵部１０４は上方が開口されており、この開口を覆うように集塵蓋１０５が設けられている。この集塵蓋１０５は、回動軸１０５ａを中心に回動自在に回動支持されており、集塵部１０４の開口を開閉自在に覆っている。
【００１４】
１０６は集塵部１０４に着脱自在に装着される集塵ケースであり、この集塵ケース106は集塵蓋１０５を開閉することによって、集塵部１０４から取り外し、また、集塵部104に装着することができる。
【００１５】
１０７は電動送風機１０３への電力を供給するための電気コードを巻き取るコードリールであり、このコードリール１０７の外周には溝が形成されリール歯車１０８を構成している。コードリール１０７は巻き取りボタン１０７ａを押すことにより電気コードを巻き取る。電動送風機１０３とコードリール１０７とは、掃除機本体２０１の進行方向に対して左右に並んで配置されている。
【００１６】
１０９は掃除機本体２０１の前後を仕切ると共に、除塵手段を備えた除塵ユニットである。この除塵ユニット１０９にはリール歯車１０８と噛み合う中間歯車１１０と、この中間歯車１１０と噛み合う除塵歯車１１１が配置されている。
【００１７】
１１２は集塵ケース１０６の後方（下流側）に配置されたフィルタに振動を与えて除塵する第一の除塵手段である。この第一の除塵手段１１２は、筒状に形成されたシリンダ
１１２ａと、シリンダ１１２ａの外周に螺旋状に巻かれたワイヤ１１２ｂとから構成されている。第一の除塵手段１１２は掃除機本体２０１の進行方向に対して左右方向に延びている。また、この除塵ユニット１０９は上流側が集塵ケース１０６のフィルタと接することで気密を保たれ、下流側が電動送風機１０３と接することで気密が保たれている。すなわち、除塵ユニット１０９の内部で通風路を形成している。そして、コードリール１０７から電気コードを引き出してコードリール１０７のリール歯車１０８を回転させ、この回転力が中間歯車１１０を介して除塵歯車１１１に伝わる。除塵歯車１１１が回転するとこれに接続されたシリンダ１１２ａが回転し、このシリンダ１１２ａの外周に螺旋状に配置されたワイヤ１１２ｂが回転し、ワイヤ１１２ｂでフィルタを弾いて振動を与え、フィルタに付着した塵埃の除塵を行う。なお、第一の除塵手段１１２には、一方向のみ回転するワンウェイクラッチ等を設け、コードリール１０７から電気コードを引き出すときのみ第一の除塵手段１１２が回転するようにすると良い。
【００１８】
ここで集塵ケース１０６の構成について、図８及び図９を用いて説明する。
【００１９】
図８及び図９は集塵ケース１０６の外観斜視図であり、図８は塵埃排出蓋１３１を閉じた状態を示す図、図９は塵埃排出蓋１３１を開放した状態を示す図である。
【００２０】
集塵ケース１０６は、塵埃を収容すると共に、塵埃を排出する開口部を有する塵埃収容部１３０と、この塵埃収容部１３０の開口部を閉塞する塵埃排出蓋１３１を備えている。この塵埃排出蓋１３１は集塵ケース１０６の前側に形成された流入口（図示せず）から流入した含塵空気から塵埃を取り除くフィルタ１３１ａで構成されている。集塵ケース106
の上方には、掃除機本体２０１の集塵部１０４から集塵ケース１０６を取り外したり、或いは集塵部１０４に集塵ケース１０６を装着する時に使用者が握るためのハンドル部132が形成されている。このハンドル部１３２は掃除機本体２０１の前後方向（長手方向）に延びるように設けられている。塵埃排出蓋１３１側にあるハンドル部１３２の端部には、塵埃排出蓋１３１を塵埃収容部１３０に保持するための係止手段１３３が設けられている。この係止手段１３３は使用者が押すためのボタン部１３３ａと、塵埃排出蓋１３１の上部に形成された係合穴部１３１ｂと係合する係合爪部１３３ｂを備えている。ボタン部
１３３ａはハンドル部１３２側（掃除機本体２０１の前側）に押されると、係合爪部133bが下方向に移動し、係合穴部１３１ｂとの係合状態を解除する。これにより、塵埃排出蓋１３１は回動軸１３４を回動支点として塵埃収容部１３０の開口部を開放し、塵埃収容部１３０内の塵埃を排出する。フィルタ１３１ａはひだ折り状に形成されており、その折り目が上下方向になるように構成されている。このため、集塵ケース１０６を集塵部１０４に装着すると、第一の除塵手段１１２の螺旋状に巻かれたワイヤ１１２ｂがひだ折り状のフィルタ１３１ａの折り目に入り込む。この状態でコードリール１０７から電気コードを引き出すと、上述したように各歯車を介して回転力が第一の除塵手段１１２に伝達され、ワイヤ１１２ｂが回転し、フィルタ１３１ａを弾く。これにより、フィルタ１３１ａの除塵が行われる。
【００２１】
図５に戻り、集塵蓋１０５の集塵部１０４側（裏面側）には第二の除塵手段１２０が設けられている。この第二の除塵手段１２０は回動軸１２０ａを回転支点として回動自在に設けられている。第二の除塵手段１２０は空気が流れる通風路外に設けられている。
【００２２】
第二の除塵手段１２０の駆動手段について、図１〜図３を用いて説明する。
【００２３】
図１は掃除機本体２０１の縦断面図であり、図２は図１における部分拡大図であり、図３は第一及び第二の除塵手段の動作を説明するための分解斜視図である。第二の除塵手段１２０には、集塵ケース１０６を介してフィルタ１３１ａの上方から叩いて振動を与える打撃部１２０ｂと、受け部１２０ｃが形成されている。第一の除塵手段１１２の除塵歯車１１１がある側の反対側には、回転体１２１が設けられ、この回転体１２１にはカム121aが設けられている。回転体１２１の回転力を第二の除塵手段１２０に伝達する伝達手段
１２２が設けられている。この伝達手段１２２には、伝達手段１２２を支持する回動軸
１２２ａが設けられており、この回動軸１２２ａを回転支点として回動可能となっている。さらにこの伝達手段１２２には、カム１２１ａと接触するカム受け部１２２ｂと、第二の除塵手段の受け部１２０ｃと接触する突出部１２２ｃが設けられている。
【００２４】
以上の構成において、コードリール１０７から電気コードを引き出すと、上述した各歯車を介して回転力が第一の除塵手段１１２に伝達され、第一の除塵手段１１２が回転する。この回転力は回転体１２１に伝達され、回転体１２１がカム１２１ａと共に回転する。カム１２１ａがカム受け部１２２ｂに接触すると、図２（ｂ）に示すようにカム受け部
１２２ｂが回動軸１２２ａを支点として退避するように傾き、同時に突出部１２２ｃも傾く。この状態において、突出部１２２ｃは第二の除塵手段１２０の受け部１２０ｃと接しているので、第二の除塵手段１２０の打撃部１２０ｂは回動軸１２０ａを回転支点として上方に移動する。さらに回転体１２１が回転すると、図２（ａ）に示すようにカム121aがカム受け部１２２ｂから離れ、伝達手段１２２の傾きがなくなり、同時に突出部１２２ｃは第二の除塵手段１２０の受け部１２０ｃから離れる。そして、第二の除塵手段１２０の打撃部１２０ｂはフィルタ１３１ａに接触する。この動作を繰り返すことにより、打撃部１２０ｂがフィルタ１３１ａを叩いて振動を与え、フィルタ１３１ａの除塵を行う。なお、打撃部１２０ｄがフィルタ枠１３１ｃを叩いて振動を与え、フィルタ１３１ａの除塵を行ってもよい。
【００２５】
以上説明したように本実施例によれば、第一の除塵手段１１２と第二の除塵手段１２０と２つの除塵手段を設けているが、第二の除塵手段１２０は空気が流れる通風路外に設けられているので、空気の流れを阻害することがなく、吸引力を低下させることがない。また、２つの除塵手段を設け、これらが異なる動作で除塵しているので、フィルタ１３１ａの除塵性能が向上し、吸引力の低下を防止できる。特に本実施例では、第一の除塵手段
１１２でフィルタ１３１ａを弾き、第二の除塵手段１２０でフィルタ１３１ａを叩くといった異なる除塵手段を設けているので、効率よく除塵を行うことができる。
【００２６】
さらには、第一の除塵手段１１２の除塵歯車１１１がある側の反対側に、第二の除塵手段１２０への伝達機構を構成する回転体１２１を設けるようにしているので、第一の除塵手段１１２及び第二の除塵手段１２０の伝達機構が掃除機本体の片側に集中することがなく、伝達機構を小さくできる。この結果、掃除機本体を小型化できる。
【００２７】
なお、本実施例では二つの除塵手段の例を説明したが、これより多くの複数の除塵手段を設けてもよい。ただし、除準手段自身による通風抵抗を低減するためには、少なくとも一つの除塵手段は通風路外に設けると良い。
【図面の簡単な説明】
【００２８】
【図１】掃除機本体２０１の縦断面図である。
【図２】図１における部分拡大図である。
【図３】第一及び第二の除塵手段の動作を説明するための分解斜視図である。
【図４】本発明の一実施例に係る電気掃除機の全体外観図である。
【図５】集塵ケース１０６を集塵部１０４に収納して集塵蓋１０５を開いた状態を示す外観斜視図である。
【図６】上ケース１０２及び集塵蓋１０５を下ケース１０１から外した状体で掃除機本体２０１を進行方向左前側から見た外観斜視図である。
【図７】図６の掃除機本体２０１を進行方向右後側から見た外観斜視図である。
【図８】塵埃排出蓋１３１を閉じた状態を示す図である。
【図９】塵埃排出蓋１３１を開放した状態を示す図である。
【符号の説明】
【００２９】
１０５…集塵蓋、１０６…集塵ケース、１０７…コードリール、１１２…第一の除塵手段、１３１…塵埃排出蓋、１３１ａ…フィルタ、１２０…第二の除塵手段、１２１…回転体、１２１ａ…カム。
【図１】
2008000385.tif 000003
【図２】
2008000385.tif 000004
【図３】
2008000385.tif 000005
【図４】
2008000385.tif 000006
【図５】
2008000385.tif 000007
【図６】
2008000385.tif 000008
【図７】
2008000385.tif 000009
【図８】
2008000385.tif 000010
【図９】
2008000385.tif 000011